(57)【要約】  コネクタ１０１の表面には、それぞれのコネクタ１０１に固有のＩＤ番号が書き込まれた無線認識ＩＣタグ１０２が貼付され、光ファイバ端子１０５の表面には、それぞれの光ファイバケーブル１０７に固有の無線認識ＩＣタグ１０４が貼付されている。無線認識ＩＣタグ１０４にリーダアンテナ１０３を近接させ、光ファイバケーブル１０７のＩＤ番号をリーダ１０８で読み取った後、無線認識ＩＣタグ１０２にリーダアンテナ１０３を近接させ、コネクタ１０１のＩＤ番号をリーダ１０８で読み取る。次に、双方のＩＤ番号を照合し、双方のＩＤ番号が対応していることを確認した後、光ファイバ端子１０５をコネクタ１０１に挿入する。
2007138694.tif 000002
【特許請求の範囲】
【請求項１】
所定の間隔で配列された複数のコネクタのいずれかに複数の信号ケーブルのいずれかを挿入し、または前記複数のコネクタのいずれかに挿入された前記いずれかの信号ケーブルを抜き取る際、以下の工程を含むことを特徴とする照合方法：
（ａ）前記複数のコネクタのそれぞれに固有のＩＤ番号が書き込まれた第１の無線認識ＩＣタグを取り付けると共に、前記複数の信号ケーブルのそれぞれに固有のＩＤ番号が書き込まれた第２の無線認識ＩＣタグを取り付ける工程、
（ｂ）前記複数のコネクタのうち、所定のコネクタに取り付けられた前記第１の無線認識ＩＣタグにリーダアンテナを近接させ、前記第１の無線認識ＩＣタグに書き込まれた前記所定のコネクタのＩＤ番号をリーダにより読み取る工程、
（ｃ）前記複数の信号ケーブルのうち、所定の信号ケーブルに取り付けられた前記第２の無線認識ＩＣタグに前記リーダアンテナを近接させ、前記第２の無線認識ＩＣタグに書き込まれた前記所定の信号ケーブルのＩＤ番号を前記リーダにより読み取る工程、
（ｄ）前記リーダにより読み取られた前記所定のコネクタのＩＤ番号と前記所定の信号ケーブルのＩＤ番号とを照合し、前記２つのＩＤ番号の対応関係を確認する工程、
（ｅ）前記２つのＩＤ番号の対応関係が正しい場合には、前記所定のコネクタに前記所定の信号ケーブルを挿入し、または前記所定のコネクタから前記所定の信号ケーブルを抜き取る工程。
【請求項２】
前記信号ケーブルは、光ファイバケーブルであることを特徴とする請求項１記載の照合方法。
【請求項３】
前記第２の無線認識ＩＣタグは、前記光ファイバケーブルの先端に取り付けた光ファイバ端子の表面に貼付されることを特徴とする請求項２記載の照合方法。
【請求項４】
前記リーダアンテナは、セラミックアンテナによって構成されている特徴とする請求項１記載の照合方法。
【請求項５】
前記第１の無線認識ＩＣタグと前記第２の無線認識ＩＣタグとを互いに９０度の角度で配向させ、前記第２の無線認識ＩＣタグに書き込まれた前記ＩＤ番号を読み取った後、前記リーダアンテナを直線方向に移動し、前記第１の無線認識ＩＣタグに書き込まれた前記ＩＤ番号を読み取ることを特徴とする請求項１記載の照合方法。
【発明の詳細な説明】
【技術分野】
【０００１】
本発明は、無線認識ＩＣタグを利用した照合技術に関し、特に、無線認識ＩＣタグを利用して信号ケーブルとコネクタとの接続の正否をを確認する技術に関するものである。
【背景技術】
【０００２】
半導体チップ内のメモリ回路に書き込んだ所望のデータを、マイクロ波などを使って読み取る無線認識ＩＣタグは、ＲＦＩＤ(Radio Frequency Identification)タグとも呼ばれ、種々の分野での利用が進められている。【０００３】
例えば特開２００４−０４６５８２号公報（特許文献１）は、無線認識ＩＣタグを利用した医療情報管理システムを開示している。この医療情報管理システムは、患者に対する薬剤の誤投与を防止するために、医師による治療指示情報が入力された無線認識ＩＣを患者のリストバンドに取り付け、薬剤投与の際にこの情報をリーダで読み出すことによって、正規の薬剤が投与されるかどうかを判定するものである。【０００４】
特開２００５−１５７９３６号公報（特許文献２）は、患者、医療従事者および医療媒体の三者にそれぞれＩＤ情報が記録されている無線認識ＩＣタグを装着し、ＩＣタグセンサにより三者のＩＤ情報をすべて読み取った後に、比較手段によりデータベースに記録されている医療情報とＩＤ情報とが一致しているか否かを判定するリスクマネージメントシステムを開示している。【０００５】
特開２００５−２００１８７号公報（特許文献３）は、無線認識ＩＣタグによって構成される識別用荷札を装着した物品の情報を正確に取得できるようにした情報管理方法を開示している。この情報管理方法は、リーダによって読み取られた複数の識別用荷札の固有情報を受信すると、それらの固有情報を持つ識別用荷札を装着した物品同士の関係を判定して、その関係の内容を示す情報とそれらの固有情報同士のリンク情報とを作成し、物品に関する関係情報として記憶手段に保存する。そして、その物品に関する関係情報を管理する処理に入った後、リーダにより読み取られた識別用荷札の固有情報を受信すると、記憶手段に保存される情報を使って、その受信した固有情報を持つ識別用荷札を装着した物品に関する関係情報の内容に応じた規定の処理を実行する。【０００６】
特開２００５−２０４４１２号公報（特許文献４）は、配線交換作業や回線切り分け作業などを容易にし、さらに配線管理を簡単、かつ的確に行えるようにした配線管理システムを開示している。この配線管理システムには、複数の配線端末部を相互に着脱自在に接続するコネクタが収納された配線盤が備わっている。各配線端末部毎に、または各配線端末部に対応するコネクタには、リーダライタから無線により供給される配線接続データを記憶する無線認識ＩＣタグが装着されている。リーダライタのアンテナは、コネクタの着脱を行う配線着脱治具に接続されている。管理装置は、リーダライタに対して無線により配線接続データの送受信を行い、配線盤の配線接続状態を管理する。【０００７】
電線の接続を確認する方法の一例を図１５を用いて説明する。光ファイバとは異なり、電線の場合は、その長さを各コネクタごとに変化させてもよいので、コネクタ同士を比較的広い間隔で配置することができる。【０００８】
端子板２０９と電線２０４は、接続ネジ２０３によって接続される。端子板２０９には第１の無線認識ＩＣタグ２０１が貼付され、電線２０４の周りの被覆２０５には第２の無線認識ＩＣタグが取り付けられている。金属の影響を受けやすい無線認識ＩＣタグ２０１、２０２を貼付するときには、紙やプラスチックなどのスペーサを使って厚さ１ｍｍ程度の空隙を形成する。無線認識ＩＣタグ２０１、２０２のそれぞれは、超小型のＩＣチップと小型アンテナとから構成されている。第１の無線認識ＩＣタグ２０１は、第１のリーダアンテナ２０６Ａによって内部のＩＤ番号が読み取られ、第２の無線認識ＩＣタグ２０２は、第２のリーダアンテナ２０６Ｂによって内部のＩＤ番号が読み取られる。リーダアンテナ２０６Ａ、２０６Ｂのそれぞれはスイッチ２０７によって切り替えられ、リーダ２０８に接続されて無線認識ＩＣタグ２０１、２０２のＩＤ番号が読み取られ、端子板２０９と電線２０４の接続が正しいか否かが確認される。リーダアンテナ２０６Ａ、２０６Ｂには、例えばセラミックアンテナが使用される。
【特許文献１】特開２００４−０４６５８２号公報
【特許文献２】特開２００５−１５７９３６号公報
【特許文献３】特開２００５−２００１８７号公報
【特許文献４】特開２００５−２０４４１２号公報
【発明の開示】
【発明が解決しようとする課題】
【０００９】
通信中継局などに設置された光ファイバ通信用の配線盤には、多数の光ファイバが高密度に接続されている。配線盤と光ファイバとの接続は、配線盤に配列された多数のコネクタのうち、所望するコネクタに光ファイバの一端部（光ファイバ端子）を挿入することによって行われる。【００１０】
上記コネクタは、配線盤に接続される光ファイバ群の長さを均一にしておくために、狭い間隔で密に配列されている。これは、光ファイバ群の長さが接続の最大長に固定されるため、コネクタの配置に強い制約が生じるためである。従って、光ファイバ端子をコネクタに挿入したり、コネクタから取り外したりする際には、例えば図１６に示すような脱着治具が使用される。【００１１】
この脱着治具３００は、光ファイバケーブル３０１の先端に取り付けた光ファイバ端子３０２を保持するためのくわえ込みアーム３０３を備えている。くわえ込みアーム３０３は、連結アーム３０４およびこれと連動する駆動アーム３０５を介してレバー３０６に連結されている。作業者がこのレバー３０６に指を挿入して駆動アーム３０５および連結アーム３０４を直線移動させると、くわえ込みアーム３０３が上下に移動する。回線切り替え時には、まず作業者がくわえ込みアーム３０３を下方に移動させて光ファイバ端子３０２をくわえ込み、この光ファイバ端子３０２を手動で第１のコネクタ（図示せず）から引き抜く。次に、この状態で光ファイバ３０１を第２のコネクタ（図示せず）に移動させ、光ファイバ端子３０２を手動で第２のコネクタに挿入した後、くわえ込みアーム３０３を上方に移動させ、光ファイバ端子３０２の保持を解除する。【００１２】
上記のような配線盤に高密度で配列されたコネクタに光ファイバケーブルを挿抜するときの課題は、コネクタが高密度に配列されているために、光ファイバケーブルが密集し、実質上、コネクタと光ファイバケーブルの目視照合が不完全となるので、光ファイバケーブルを挿抜するときに誤操作が発生しやすいことにある。従来の文献には、この課題を効率よく解決する方法が示されていない。【００１３】
本発明の目的は、配線盤に高密度で配列されたコネクタに光ファイバケーブルなどの信号ケーブルを挿抜する際に、信号ケーブルとコネクタとの接続の正否を効率よく確認することのできる技術を提供することにある。【００１４】
本発明の前記並びにその他の目的と新規な特徴は、本明細書の記述および添付図面から明らかになるであろう。
【課題を解決するための手段】
【００１５】
本願において開示される発明のうち、代表的なものの概要を簡単に説明すれば以下のとおりである。【００１６】
本願の一発明である照合方法は、所定の間隔で配列された複数のコネクタのいずれかに複数の信号ケーブルのいずれかを挿入し、または前記複数のコネクタのいずれかに挿入された前記いずれかの信号ケーブルを抜き取る際、
（ａ）前記複数のコネクタのそれぞれに固有のＩＤ番号が書き込まれた第１の無線認識ＩＣタグを取り付けると共に、前記複数の信号ケーブルのそれぞれに固有のＩＤ番号が書き込まれた第２の無線認識ＩＣタグを取り付ける工程と、
（ｂ）前記複数のコネクタのうち、所定のコネクタに取り付けられた前記第１の無線認識ＩＣタグにリーダアンテナを近接させ、前記第１の無線認識ＩＣタグに書き込まれた前記所定のコネクタのＩＤ番号をリーダにより読み取る工程と、
（ｃ）前記複数の信号ケーブルのうち、所定の信号ケーブルに取り付けられた前記第２の無線認識ＩＣタグに前記リーダアンテナを近接させ、前記第２の無線認識ＩＣタグに書き込まれた前記所定の信号ケーブルのＩＤ番号を前記リーダにより読み取る工程と、
（ｄ）前記リーダにより読み取られた前記所定のコネクタのＩＤ番号と前記所定の信号ケーブルのＩＤ番号とを照合し、前記２つのＩＤ番号の対応関係を確認する工程と、
（ｅ）前記２つのＩＤ番号の対応関係が正しい場合には、前記所定のコネクタに前記所定の信号ケーブルを挿入し、または前記所定のコネクタから前記所定の信号ケーブルを抜き取る工程とを含んでいる。
【発明の効果】
【００１７】
本願において開示される発明のうち、代表的なものによって得られる効果を簡単に説明すれば以下のとおりである。【００１８】
コネクタに信号ケーブルを挿入したり、コネクタから信号ケーブルを抜き取る際の誤操作を確実に、かつ効率よく防止することができる。
【図面の簡単な説明】
【００１９】
【図１】本発明の一実施の形態である照合方法を示す配電盤の概略図である。
【図２】（ａ）は、無線認識ＩＣタグ１０２の平面図、（ｂ）は、（ａ）のＡ−Ａ線に沿った断面図である。
【図３】無線認識ＩＣタグに内蔵されたＩＣチップの構成を示すブロック図である。
【図４】本発明の一実施の形態である照合方法で用いるリーダアンテナの構造の一例を示す平面図である。
【図５】図４に示すリーダアンテナの側面図である。
【図６】本発明の一実施の形態である照合方法を示す説明図である。
【図７】本発明の一実施の形態である照合方法を示す説明図である。
【図８】本発明の一実施の形態である照合方法を示す説明図である。
【図９】本発明の一実施の形態である照合方法を示す説明図である。
【図１０】本発明の一実施の形態である照合装置を示す概略図である。
【図１１】図８に示す照合装置を用いた照合方法を示す説明図である。
【図１２】図８に示す照合装置を用いた照合方法を示す説明図である。
【図１３】図８に示す照合装置を用いた照合方法を示す説明図である。
【図１４】本発明の他の実施の形態である照合方法を示す説明図である。
【図１５】従来の端子板と電線の接続方法の一例を示す説明図である。
【図１６】本発明者が検討した光ファイバケーブルとコネクタの接続方法を示す脱着治具の概略図である。
【発明を実施するための最良の形態】
【００２０】
以下、本発明の実施の形態を図面に基づいて詳細に説明する。なお、実施の形態を説明するための全図において、同一の部材には原則として同一の符号を付し、その繰り返しの説明は省略する。【００２１】
（実施の形態１）
本発明の一実施の形態である照合方法を図１〜図９を参照しながら説明する。本実施の形態は、通信中継局などの配線盤に高密度で配列されたコネクタに光ファイバケーブルが正しく挿抜されたかどうかを確認するための照合方法である。【００２２】
図１に示すように、配電盤１００には、多数のコネクタ１０１が高密度に配列されている。光ファイバケーブル１０７は、その先端に取り付けた光ファイバ端子１０５をコネクタ１０１に挿入することによって、配電盤１００に接続されている。【００２３】
コネクタ１０１の表面には、第１の無線認識ＩＣタグ１０２が貼付されている。無線認識ＩＣタグ１０２は、直径１ｍｍ以下の超小型ＩＣチップと、このＩＣチップ内に形成された小型アンテナとを備えており、サイズが小さいコネクタ１０１の表面にも貼付することができる。無線認識ＩＣタグ１０２のＩＣチップには、それぞれのコネクタ１０１に固有のＩＤ番号が書き込まれている。【００２４】
一方、光ファイバ端子１０５の表面には、第２の無線認識ＩＣタグ１０４が貼付されている。第１の無線認識ＩＣタグ１０２と同じ様に、この無線認識ＩＣタグ１０４も、直径１ｍｍ以下の超小型ＩＣチップと、このＩＣチップ内に形成された小型アンテナとから構成されているので、サイズが小さい光ファイバ端子１０５の表面にも貼付することができる。無線認識ＩＣタグ１０４のＩＣチップには、それぞれの光ファイバケーブル１０７に固有のＩＤ番号が書き込まれている。【００２５】
図２（ａ）は、無線認識ＩＣタグ１０２の平面図、図２（ｂ）は、図２（ａ）のＡ−Ａ線に沿った断面図である。【００２６】
ベースフィルム１３０上には、導電性フィルムからなるアンテナ１３１が形成されている。アンテナ１３１の一部には、スリット１３２が設けられている。アンテナ１３１上には、スリット１３２を跨ぐ２個のバンプ電極１３３、１３４を介してＩＣチップ１３５が接続されている。スリット１３２は、アンテナ１３１とＩＣチップ１３５との間のインピーダンスを整合するために形成されている。２個のバンプ電極１３３、１３４の間のインピーダンス（ＩＣチップ１３５の入力インピーダンス）は、例えば２．４５ＧＨｚにおいて、６０Ωに調整されている。【００２７】
無線認識ＩＣタグ１０２に２．４５ＧＨｚのマイクロ波が照射されると、アンテナ１３１に高周波電流が流れる。このとき、ＩＣチップ１３５の入力インピーダンス（６０Ω）とアンテナ１３１のインピーダンスとが整合していると、アンテナ１３１に流れる高周波電流を最も効率よくＩＣチップ１３５に供給することができる。他方、ＩＣチップ１３５の入力インピーダンスとアンテナ１３１のインピーダンスとの整合が不完全であると、両者の接続点（バンプ電極１３３、１３４）において高周波電流が反射され、ＩＣチップ１３５が動作するためのエネルギーが十分に供給されなくなるので、ＩＣチップ１３５に入力される信号の強度が弱くなる。図示は省略するが、光ファイバ端子１０５の表面に貼付された無線認識ＩＣタグ１０４も、図２と同じ構成になっている。【００２８】
図３は、無線認識ＩＣタグ１０２に内蔵されたＩＣチップ１３５の構成を示すブロック図である。ＩＣチップ１３５は、整流回路３０２、クロック抽出回路３０３、ロードスイッチ３０４およびカウンタ・メモリ回路３０５を備えている。【００２９】
アンテナ１３１は、整流回路３０２に接続されている。アンテナ１３１に流れた高周波電流は、整流回路３０２によって整流された後、クロック抽出回路３０３に入力される。クロック抽出回路３０３では、高周波のキャリアからクロック幅およびクロック間隔が正確に抽出される。抽出された低周波のクロックパルスは、カウンタ・メモリ回路３０５に入力され、ＩＤ番号の認証などの処理が行われる。【００３０】
カウンタ・メモリ回路３０５からの出力はロードスイッチ３０４に入力される。ロードスイッチ３０４は、ＭＯＳＦＥＴで構成されるスイッチング素子であって、アンテナ１３１に対するインピーダンス（バンプ電極１３３、１３４間のインピーダンス）を変化させることによって負荷変調をする。変調された信号は、アンテナ１３１から無線認識ＩＣタグ１０２のリーダへデータとして送信される。図示は省略するが、無線認識ＩＣタグ１０４に内蔵されたＩＣチップも、図３と同じ構成になっている。【００３１】
無線認識ＩＣタグ１０２、１０４のそれぞれに書き込まれたＩＤ番号は、リーダアンテナ１０３によって読み出される。リーダアンテナ１０３は、例えば直方体のセラミックアンテナによって構成されており、同軸ケーブル１０６を介してリーダ１０８に接続されている。リーダ１０８には、無線認識ＩＣタグ１０２、１０４のそれぞれに書き込まれたＩＤ番号とその属性情報とが格納されている。【００３２】
図４は、上記リーダアンテナ１０３の構造の一例を示す平面図（下方から見た平面図）、図５は、図４に示すリーダアンテナ１０３の側面図である。【００３３】
リーダアンテナ１０３は、アンテナパターン１１０が形成されたアンテナ搭載基板１１１を備えており、マッチング素子１１２を介して同軸ケーブル１０６に接続されている。アンテナパターン１１０は、所定の周波数で共振するので、誘電体の比誘電率の効果による波長短縮効果を考慮して形成される。マッチング素子１１２は、同軸ケーブル１０６の長さや形状、アンテナ搭載基板１１１の電気的仕様による高周波波形の反射を防ぐために挿入される素子であり、例えばチップ状のコンデンサやインダクタンスによって構成されている。リーダアンテナ１０３は、例えば無線ＬＡＮ、ブルーツース、携帯電話など、マイクロ波通信に利用されている高誘電体セラミックアンテナが利用可能である。【００３４】
所定のコネクタ１０１に所定の光ファイバケーブル１０７を正しく挿入するには、まず、図６に示すように、光ファイバ端子１０５に貼付された無線認識ＩＣタグ１０４から１ｍｍ〜２ｍｍ程度の至近距離にリーダアンテナ１０３を近接させる。すると、リーダアンテナ１０３から発振されたマイクロ波などの高周波が無線認識ＩＣタグ１０４に受信され、ＩＣチップに書き込まれた光ファイバケーブル１０７のＩＤ番号がリーダアンテナ１０３によって感知されることによって、リーダ１０８に読み取られる。【００３５】
次に、図７に示すように、コネクタ１０１に貼付された無線認識ＩＣタグ１０２から１ｍｍ〜２ｍｍ程度の至近距離にリーダアンテナ１０３を近接し、無線認識ＩＣタグ１０２のＩＣチップに書き込まれたＩＤ番号をリーダ１０８によって読み取る。すると、リーダアンテナ１０３から発振された高周波が無線認識ＩＣタグ１０４に受信され、ＩＣチップに書き込まれたコネクタ１０１のＩＤ番号がリーダアンテナ１０３によって感知されることによって、リーダ１０８に読み取られる。【００３６】
次に、リーダ１０８は、上記の方法で読み取った光ファイバケーブル１０７のＩＤ番号とコネクタ１０１のＩＤ番号とを照合し、双方のＩＤ番号が対応しているかどうかを表示する。作業者は、この表示を見て双方のＩＤ番号が対応していることを確認した後、上記の光ファイバ端子１０５を上記のコネクタ１０１に挿入する。【００３７】
一方、光ファイバケーブル１０７をコネクタ１０１から抜き取る場合は、まず、図８に示すように、光ファイバ端子１０５に貼付された無線認識ＩＣタグ１０４から１ｍｍ〜２ｍｍ程度の至近距離にリーダアンテナ１０３を近接させ、無線認識ＩＣタグ１０４のＩＤ番号をリーダ１０８で読み取る。【００３８】
次に、図９に示すように、リーダアンテナ１０３を水平方向に移動し、コネクタ１０１に貼付された無線認識ＩＣタグ１０２から１ｍｍ〜２ｍｍ程度の至近距離にリーダアンテナ１０３を近接させ、コネクタ１０１のＩＤ番号をリーダ１０８で読み取る。このとき、光ファイバ端子１０５に貼付された無線認識ＩＣタグ１０４は、リーダアンテナ１０３の至近距離に位置していないので、無線認識ＩＣタグ１０４のＩＣチップに書き込まれたＩＤ番号がリーダ１０８によって読み取られることはない。【００３９】
図に示すように、光ファイバ端子１０５に貼付された無線認識ＩＣタグ１０４と、コネクタ１０１に貼付された無線認識ＩＣタグ１０２とは、互いに９０度の角度で配向されているので、無線認識ＩＣタグ１０４に近接させた光ファイバ端子１０５を水平方向に移動するだけで無線認識ＩＣタグ１０２に近接させることができる。従って、隣り合った光ファイバ端子１０５、１０５の間隔が非常に狭い場合でも、コネクタ１０１のＩＤ番号を簡単に読み取ることができる。【００４０】
このようにして、光ファイバ端子１０５に貼付された無線認識ＩＣタグ１０４のＩＤ番号と、コネクタ１０１に貼付された無線認識ＩＣタグ１０２のＩＤ番号とがリーダ１０８によって順次読み取られ、双方のＩＤ番号が照合される。そして、作業者は、所定のコネクタ１０１に所定の光ファイバケーブル１０７が正しく挿入されているかどうかを確認した後、所定の光ファイバケーブル１０７をコネクタ１０１から抜き取る。【００４１】
上述した本実施の形態の照合方法を用いることにより、コネクタ１０１に光ファイバケーブル１０７を挿入したり、コネクタ１０１から光ファイバケーブル１０７を抜き取る際の誤操作を確実に、かつ効率よく防止することができる。【００４２】
（実施の形態２）
図１０は、本発明の一実施の形態である照合装置の概略図である。この照合装置１２０は、光ファイバケーブル１０７の先端に取り付けた光ファイバ端子１０５を保持するためのくわえ込みアーム（保持手段）１２１を備えている。くわえ込みアーム１２１は、連結アーム１２２およびこれと連動する駆動アーム１２３、１２４を介してレバー１（駆動手段）２５に連結されている。くわえ込みアーム１２１の先端部には、同軸ケーブル１０６を介してリーダ１０８に接続されたリーダアンテナ１０３が固定されている。【００４３】
上記照合装置１２０を使ってコネクタ１０１に光ファイバケーブル１０７を挿入するには、まず、図８に示すように、光ファイバ端子１０５をくわえ込みアーム１２１で保持し、光ファイバ端子１０５に貼付された無線認識ＩＣタグ１０４から１ｍｍ〜２ｍｍ程度の至近距離にリーダアンテナ１０３を近接させることによって、光ファイバケーブル１０７のＩＤ番号を読み取る。続いて、図１１に示すように、レバー１２５を操作し、コネクタ１０１に貼付された無線認識ＩＣタグ１０２から１ｍｍ〜２ｍｍ程度の至近距離にリーダアンテナ１０３を近接させることによって、コネクタ１０１のＩＤ番号を読み取る。このとき、光ファイバ端子１０５に貼付された無線認識ＩＣタグ１０４は、リーダアンテナ１０３から離れた位置にあるので、無線認識ＩＣタグ１０４に書き込まれた光ファイバケーブル１０７のＩＤ番号が読み取られることはない。【００４４】
次に、リーダ１０８は、上記の方法で読み取った光ファイバケーブル１０７のＩＤ番号とコネクタ１０１のＩＤ番号とを照合し、双方のＩＤ番号が一致しているかどうかを表示する。作業者は、この表示を見て双方のＩＤ番号が一致していることを確認した後、上記の光ファイバ端子１０５を上記のコネクタ１０１に挿入する。【００４５】
一方、光ファイバケーブル１０７をコネクタ１０１から抜き取る場合は、上記と逆の操作を行う。すなわち、まず、図１２に示すように、光ファイバ端子１０５に貼付された無線認識ＩＣタグ１０４の至近距離にリーダアンテナ１０３を近接させてＩＤ番号を読み取る。次に、図１３に示すように、レバー１２５を操作してリーダアンテナ１０３を水平方向に移動し、コネクタ１０１に貼付された無線認識ＩＣタグ１０２のＩＤ番号を読み取る。【００４６】
このようにして、光ファイバ端子１０５に貼付された無線認識ＩＣタグ１０４のＩＤ番号と、コネクタ１０１に貼付された無線認識ＩＣタグ１０２のＩＤ番号とを順次読み取り、双方のＩＤ番号を照合する。そして、コネクタ１０１に光ファイバケーブル１０７が正しく挿入されているかどうかを確認した後、光ファイバ端子１０５をくわえ込みアーム１２１で保持し、光ファイバケーブル１０７をコネクタ１０１から抜き取る。【００４７】
上述した本実施の形態の照合装置１２０を用いることにより、コネクタ１０１に光ファイバケーブル１０７を挿入したり、コネクタ１０１から光ファイバケーブル１０７を抜き取る作業をより迅速に行うことができる。【００４８】
以上、本発明者によってなされた発明を実施の形態に基づき具体的に説明したが、本発明は前記実施の形態に限定されるものではなく、その要旨を逸脱しない範囲で種々変更可能であることはいうまでもない。【００４９】
前記実施の形態１、２では、光ファイバ端子１０５に貼付された無線認識ＩＣタグ１０４とコネクタ１０１に貼付された無線認識ＩＣタグ１０２との間でリーダアンテナ１０３を移動させたが、例えば図１４に示すように、２個のリーダアンテナ１０３をスイッチ１２６を介してリーダ１０８に接続し、その一方をコネクタ１０１に貼付された無線認識ＩＣタグ１０２に近接させ、もう一方を光ファイバ端子１０５に貼付された無線認識ＩＣタグ１０４に近接させてもよい。この場合は、例えばコネクタ１０１に貼付された無線認識ＩＣタグ１０２のＩＤ番号を読み取り、次に、スイッチ１２６を切り替えて光ファイバ端子１０５に貼付された無線認識ＩＣタグ１０４のＩＤ番号を読み取った後、双方のＩＤ番号を照合する。
【産業上の利用可能性】
【００５０】
本発明は、無線認識ＩＣタグを利用して信号ケーブルとコネクタとの接続の正否を確認する技術に適用することができる。
【図１】
2007138694.tif 000003
【図２】
2007138694.tif 000004
【図３】
2007138694.tif 000005
【図４】
2007138694.tif 000006
【図５】
2007138694.tif 000007
【図６】
2007138694.tif 000008
【図７】
2007138694.tif 000009
【図８】
2007138694.tif 000010
【図９】
2007138694.tif 000011
【図１０】
2007138694.tif 000012
【図１１】
2007138694.tif 000013
【図１２】
2007138694.tif 000014
【図１３】
2007138694.tif 000015
【図１４】
2007138694.tif 000016
【図１５】
2007138694.tif 000017
【図１６】
2007138694.tif 000018
【国際調査報告】
2007138694.tif 000019
2007138694.tif 000020
2007138694.tif 000021